(57)【特許請求の範囲】
【請求項１】
下方又は斜め下方が開口となって、一部に吸込口を有する水平配置された吸込ケーシングと、前記吸込ケーシング内に配置されて水平配置された回転軸、及び該回転軸に取付けられた複数の破砕刃により水底堆積物を攪乱する土塊破砕部と、前記回転軸を駆動するモータと、前記吸込ケーシングの吸込口を介して前記水底堆積物を吸引する搬送ポンプとを備えた水底堆積物搬送装置において、
前記吸込口は前記吸込ケーシングの軸方向の中央部に設けられ、前記吸込ケーシングの両端部の上側に上水吸水管を備えたことを特徴とする水底堆積物搬送装置。
【請求項２】
請求項１に記載の水底堆積物搬送装置において、前記搬送ポンプは前記吸込ケーシングの吸込口に直に連接して設けられていることを特徴とする水底堆積物搬送装置。
【請求項３】
請求項１又は２記載の水底堆積物搬送装置において、前記破砕刃は前記回転軸方向の列毎に異なる角度で取付けられていることを特徴とする水底堆積物搬送装置。
【請求項４】
請求項１〜３のいずれか１項に記載の水底堆積物搬送装置において、前記吸込ケーシングの断面形状は半円以上の円弧であることを特徴とする水底堆積物搬送装置。
【請求項５】
請求項１〜４のいずれか１項に記載の水底堆積物搬送装置において、前記モータは、前記吸込ケーシングに取付ブラケットを介して水面上に設けられていることを特徴とする水底堆積物搬送装置。
【請求項６】
請求項１〜４のいずれか１項に記載の水底堆積物搬送装置において、前記モータは、前記回転軸の内部に組み込まれていることを特徴とする水底堆積物搬送装置。
【請求項７】
請求項１〜６のいずれか１項に記載の水底堆積物搬送装置において、前記モータは、インバータで制御された電動モータ又は油圧モータであることを特徴とする水底堆積物搬送装置。
【発明の詳細な説明】
【０００１】
【発明の属する技術分野】
本発明は、水底の土砂又はヘドロ等を効率的に攪乱、吸引し、かつ吐出できる水底堆積物搬送装置に関する。
【０００２】
【従来の技術】
従来、水底の土砂又はヘドロ等の水底堆積物を除去するために使用する水底堆積物搬送装置として、スクリューコンベアのケーシングの下半分が開放された構造に似た形態のもので、中央に水平配置され回転するスクリュー羽根と、スクリュー羽根の両端部を回転支持すると共に、スクリュー羽根をカバーし吸込口が形成された吸込ケーシングとを備え、さらに、吸込ケーシングの吸込口に接続され、所定の長さを有する吐出配管の先端に取付けられた搬送ポンプを備えたものが知られている。
この水底堆積物搬送装置においては、スクリュー羽根の回転によって吸込ケーシング内の土砂又はヘドロ等をある程度攪拌して吸込口側に移動させると共に、搬送ポンプの吸引により吸込口を介してこれらを吐出配管を経由して吸引している。
【０００３】
【発明が解決しようとする課題】
しかしながら、前記従来の水底堆積物搬送装置においては、未だ解決すべき以下のような問題があった。
土砂又はヘドロ等の水底堆積物が軟らかい場合には、スクリュー羽根により水底堆積物がある程度均一に攪拌されて流動化され問題なく吸引、吐出できるが、水底堆積物が強固に固まっている場合には、スクリュー羽根では堆積物を破砕し流動化できないために、吸引、吐出できず、搬送不能になるケースがあった。
【０００４】
本発明はこのような事情に鑑みてなされたもので、土砂又はヘドロ等の水底堆積物が強固に固まっている場合でも、堆積物が破砕され、均一に流動化されて吸引、吐出でき、搬送能力を高く維持できる水底堆積物搬送装置を提供することを目的とする。
【０００５】
【課題を解決するための手段】
前記目的に沿う第１の発明に係る水底堆積物搬送装置は、下方又は斜め下方が開口となって、一部に吸込口を有する水平配置された吸込ケーシングと、前記吸込ケーシング内に配置されて水平配置された回転軸、及び該回転軸に取付けられた複数の破砕刃により水底堆積物を攪乱する土塊破砕部と、前記回転軸を駆動するモータと、前記吸込ケーシングの吸込口を介して前記水底堆積物を吸引する搬送ポンプとを備えた水底堆積物搬送装置において、前記吸込口は前記吸込ケーシングの軸方向の中央部に設けられ、前記吸込ケーシングの両端部の上側に上水吸水管を備えている。これによって、回転軸に取付けられた複数の破砕刃からなる土塊破砕部により水底堆積物が掻き砕かれて吸込ケーシング内で水と均一に混合し、流動化されると共に、流動化された水底堆積物を吸込ケーシングの吸込口を介して搬送ポンプにより吸引することができる。
【０００６】
【０００７】
第１の発明に係る水底堆積物搬送装置において、搬送ポンプは吸込ケーシングの吸込口に直に連接して設けられるように構成することもできる。これによって、吸込ケーシング内で流動化された水底堆積物の濃度が濃い状態となっても吸い上げることができる。
【０００８】
第１の発明に係る水底堆積物搬送装置において、吸込ケーシングに上水吸水管を備える。これによって、搬送ポンプの吸引により、水底堆積物の上方の水が吸込ケーシング内に供給されるため、土塊破砕部によって破砕された水底堆積物を、より多くの水で混合希釈してポンプ吸引部の濃度を下げることができるので、ポンプを詰まらせることなく円滑に水底堆積物を搬送することができる。
第１の発明に係る水底堆積物搬送装置において、破砕刃は回転軸方向の列毎に異なる角度で取付けられるように構成することもできる。これによって、破砕刃の数は同じであるにもかかわらず、同時に土塊に接触する破砕刃の数を少なくすることができ、従って動力を節減することができる。
第１の発明に係る水底堆積物搬送装置において、吸込ケーシングの断面形状は半円以上の円弧であるように構成することもできる。これによって、吸込ケーシング内で水底堆積物をより効果的に攪拌し、搬送することができる。
【０００９】
第１の発明に係る水底堆積物搬送装置において、モータは、吸込ケーシングに取付ブラケットを介して水面上に設けられるように構成することもできる。これによって、モータの水密性が不要となるため、より安価にでき、またモータの保守、点検が容易にできる。
第１の発明に係る水底堆積物搬送装置において、モータは、回転軸の内部に組み込まれた構成にすることもできる。これによって、モータが回転軸外に取付けられることによって発生するモータ部の堆積物吸引不可能範囲（死域）を完全になくすことができる。
第１の発明に係る水底堆積物搬送装置において、モータは、インバータで制御された電動モータ又は油圧モータであるように構成することもできる。これによって、水底堆積物の条件に合わせて土塊破砕部の回転数を適宜調整できる。
【００１０】
【発明の実施の形態】
続いて、添付した図面を参照しつつ、本発明を具体化した実施の形態につき説明し、本発明の理解に供する。
ここに、図１は本発明の第１の実施の形態に係る水底堆積物搬送装置の正断面図、図２は図１の矢視Ａ−Ａ断面図、図３は本発明の第１の実施の形態に係る水底堆積物搬送装置の第１変形例の正断面図、図４は同水底堆積物搬送装置の第２変形例の正断面図、図５は同水底堆積物搬送装置の第３変形例の正断面図、図６（Ａ）、（Ｂ）、（Ｃ）はそれぞれ、同水底堆積物搬送装置の第４変形例の正断面図、回転軸及び減速機付電動モータの断面図、同水底堆積物搬送装置の第４変形例の側断面図、図７は本発明の第２の実施の形態に係る水底堆積物搬送装置の正断面図、図８は図７の矢視Ｂ−Ｂ断面図、図９は同水底堆積物搬送装置の変形例の正断面図、図１０は変形例の土塊破砕部の断面図、図１１は変形例の吸込ケーシングの断面図、図１２は水底堆積物搬送装置を適用した使用例を示す説明図、図１３は水底堆積物搬送装置を適用した使用例を示す説明図である。
【００１１】
図１及び図２に示すように、本発明の第１の実施の形態に係る水底堆積物搬送装置１０は、下方が開口１１となって、上部の中央部に吸込口１２を有する水平配置された吸込ケーシング１３と、吸込ケーシング１３内に配置されて水平配置された回転軸１４、及び回転軸１４に取付けられた複数の破砕刃１５により水底堆積物の一例である土砂１６を攪乱する土塊破砕部１７と、回転軸１４を駆動するモータの一例である減速機付電動モータ１８と、吸込ケーシング１３の吸込口１２に連結されたポンプ吸込配管１９を介して土砂１６を吸引し、吐出する搬送ポンプ（図外）とを備えている。以下、これらについて詳しく説明する。
【００１２】
図１及び図２に示すように、吸込ケーシング１３は、軸方向の中央上部にポンプ吸込配管１９の下端が連設された断面形状が半円弧の半割部２０と、半割部２０の両端に設けられた半円形状の端板２１、２２とを備えている。半割部２０の両下端２３、２４及び端板２１、２２の下端２５、２６により実質的に矩形状の開口部２７が形成され、開口部２７は、水底の土砂１６の上面２８の直上に設置されるようになっている。
端板２１、２２の下端部の内側には、回転軸１４の両端部を回転支持する軸受２９、３０が設けられており、さらに回転軸１４の軸受２９側は、端板２１を貫通して端板２１の外側に取付けられた減速機付電動モータ１８の出力軸に連結されている。
【００１３】
図１及び図２に示すように、軸受２９、３０によって回転支持された回転軸１４には、中央の吸込口１２位置を境にして両側の軸方向にそれぞれ、所定のピッチＧで５列、しかも側面視して１２０°の等ピッチで放射状に取付けられた複数（本実施の形態においては、５列×３枚／列×＝１５枚）の破砕刃１５を備えた土塊破砕部１７を有している。
【００１４】
図２に示すように、破砕刃１５が取付けられた回転軸１４は矢印で示す時計方向に回転し、各破砕刃１５は側面視して弓状に形成され、かつ軸方向へも中央に向かって曲げて形成されている。破砕刃１５の回転方向側の凹部分には、刃部（エッジ部）３２が形成されている。減速機付電動モータ１８を駆動して土塊破砕部１７を回転することによって、破砕刃１５を土砂１６内で回転させて、土砂１６を掻き砕きながら水と混合させて攪乱することができる。なお、図１、図２中の符号４８は、吸込ケーシング１３の一側部に設けられた支持機枠を表している。
【００１５】
従って、水底堆積物搬送装置１０においては、減速機付電動モータ１８を駆動して土塊破砕部１７を回転すると共に、ポンプ吸込配管１９に設けた搬送ポンプを駆動することによって、土塊破砕部１７を構成する複数枚の破砕刃１５が土砂１６に直接接触して、例え、土砂１６が固い場合であってもそれらを掻き砕くことができ、これによって水が混合されて堆積物の流動性を向上させることができ、ポンプ吸込配管１９を介して搬送ポンプにより土砂１６を吸引することができるので、搬送能力を高く維持できる。
特に、刃部３２を備えた破砕刃１５は、従来のスクリュー羽根に較べて水底堆積物をより効率的に破砕、攪乱し、流動化することができるので、吸引能力が落ちることなく、土砂１６等を効率的に吸引することができる。
【００１６】
図３は本発明の第１の実施の形態に係る水底堆積物搬送装置の第１変形例の水底堆積物搬送装置１０ａを示す。なお、水底堆積物搬送装置１０と同一の構成要素については、同一の符号を付して詳しい説明を省略する。
水底堆積物搬送装置１０ａが水底堆積物搬送装置１０と異なる主な点は、ポンプ吸込配管を省略して、搬送ポンプ３３を吸込ケーシング１３ａの吸込口１２ａに直に連接して設けた点である。
【００１７】
図３に示すように、吸込ケーシング１３ａに形成された吸込口１２ａには、搬送ポンプ３３のポンプ部３３ａの吸込口３４ａが直に連接して設けられている。
水底堆積物搬送装置１０ａにおいては、搬送ポンプ３３を吸込ケーシング１３ａに直に設けているので、破砕刃１５により掻き砕かれながら攪拌された土砂１６を搬送ポンプ３３によって、ポンプ吸込配管を介さずに直接吸引することができ、土砂１６等が、たとえ濃度が濃い状態になっても吸込部で閉塞を起こすことなく、円滑に堆積物を搬送することができる。なお、図３中の符号４８ａは搬送ポンプ３３の上部の一側に固定された支持機枠を表している。また、符号２０ａは半割部を示す。
【００１８】
図４は本発明の第１の実施の形態に係る水底堆積物搬送装置の第２変形例の水底堆積物搬送装置１０ｂを示す。なお、水底堆積物搬送装置１０と同一の構成要素については、同一の符号を付して詳しい説明を省略する。
水底堆積物搬送装置１０ｂが水底堆積物搬送装置１０と異なる主な点は、ポンプ吸込配管１９を減速機付電動モータ１８と反対側の吸込ケーシング１３ｂの軸方向端部に設けた点である。従って、回転軸１４ａの軸方向に所定のピッチＧで、連続して１０列（３枚／列）の破砕刃１５が設けられることになる。
水底堆積物搬送装置１０ｂは水底堆積物搬送装置１０と比較して、土塊破砕部１７ａによる水底堆積物の搬送距離が土塊破砕部１７の場合より長くなるので、水底堆積物の攪拌、流動化の効果が大きくなる。なお、図４中の符号１１ａは開口を、符号２０ｂは半割部を、符号２７ａは開口部を表している。
【００１９】
図５は本発明の第１の実施の形態に係る水底堆積物搬送装置の第３変形例の水底堆積物搬送装置１０ｃを示す。なお、水底堆積物搬送装置１０と同一の構成要素については、同一の符号を付して詳しい説明を省略する。
水底堆積物搬送装置１０ｃが水底堆積物搬送装置１０と異なる主な点は、吸込ケーシング１３ｃの両端部の上側に上水吸水管３４、３５を設けた点である。従って、搬送ポンプの吸引により、堆積した土砂１６の上方の水３６が吸込ケーシング１３ｃ内に供給されるため、土塊破砕部１７によって破砕された土砂１６を、より多くの水３６で混合希釈してポンプ吸込部の濃度を下げることができるので、ポンプを詰まらせることなく円滑に土砂１６を輸送することができる。なお、符号２０ｃ、３６ａは、それぞれ半割部、水面を示す。
【００２０】
図６（Ａ）は本発明の第１の実施の形態に係る水底堆積物搬送装置の第４変形例の水底堆積物搬送装置１０ｄを示す。なお、水底堆積物搬送装置１０と同一の構成要素については、同一の符号を付して詳しい説明を省略する。
水底堆積物搬送装置１０ｄが水底堆積物搬送装置１０と異なる主な点は、モータの一例である減速機付電動モータ１８ａが回転軸１４ｂの内部に組み込まれている点である。
図６（Ａ）、（Ｃ）に示すように、回転軸１４ｂは吸込ケーシング１３ｄの端板２１ａ、２２ａに固定された固定軸３７、３８に支持されて、固定軸３７、３８の回りを回転する。回転軸１４ｂの外周には、複数（４枚）の破砕刃１５ａがピッチｇで取付けられた土塊破砕部１７ｂが設けられており、土塊破砕部１７ｂにより水底の土砂１６を攪乱することができる。破砕刃１５ａは破砕刃１５より基部側が短くなっている。なお、図６（Ｃ）に示すように、吸込ケーシング１３ｄの断面形状は半円以上の円弧で形成されている。
【００２１】
図６（Ｂ）に、市販品の減速機付電動モータ１８ａの内部構造の詳細を示す。回転軸１４ｂは、パイプ状の円筒部３９と、円筒部３９の両端部の端板部５７、５８からなり、端板部５７、５８はそれぞれ、固定軸３７、３８に軸受５９、６０を介して回転、支持されている。回転軸１４ｂ内部の固定軸３７、３８間には、取付部６１が形成されており、取付部６１には軸心部に回転子軸６２の両端部を軸受６３、６４で回転支持された回転子６５と、回転子６５の周囲に配置された円筒状の固定子６６とが設けられている。回転子６５の回転子軸６２の固定軸３８側の端部には、小ギア６７が設けられ、小ギア６７に噛合する大ギア６８が設けられたギア軸６９の両端部は、取付部６１に設けられた軸受７０、７１に回転支持されている。ギア軸６９の端板部５８側の端部には小ギア７２が設けられており、小ギア７２に噛合する大ギア７３が軸受６０の外側の端板部５８に形成されている。なお、小ギア６７と大ギア６８、小ギア７２と大ギア７３により２段減速されており、減速比は１／１０としている。
従って、取付部６１及び固定軸３７に配置された配線７４を介して、電源を固定子６６に供給すると、土塊破砕部１７ｂを備えた回転軸１４ｂは固定軸３７、３８の回りに約１２０ｒｐｍで回転することができる。なお、符号１１ｂは開口を、２０ｄは半割部を、２３ａ及び２４ａは半割部２０ｄの下端を、２５ａ及び２６ａは端板２１ａ、２２ａの下端を、２７ｂは開口部を示す。
【００２２】
次いで、図７及び図８に示す本発明の第２の実施の形態に係る水底堆積物搬送装置４０について説明する。なお、水底堆積物搬送装置１０と同一の構成要素については、同一の符号を付して詳しい説明を省略する。
水底堆積物搬送装置４０は、水底堆積物搬送装置１０と比較して、主に、土塊破砕部４１の構造及び搬送ポンプ４２の取付け位置が異なっている。
【００２３】
即ち、水底堆積物搬送装置４０は、下方が開口１１ｃとなって、中央上部に吸込口１２ａを有する水平配置された吸込ケーシング１３ｅと、吸込ケーシング１３ｅ内に配置されて水平配置された回転軸１４ｃ、回転軸１４ｃに取付けられて土砂１６を横送りする、回転軸１４ｃの両側に対向して配置された螺旋羽根４３、４４、及び螺旋羽根４３、４４の周囲に設けられた複数の破砕刃１５ｂを有する土塊破砕部４１と、回転軸１４ｃを駆動するモータの一例である減速機付電動モータ１８ｂと、吸込ケーシング１３ｅの吸込口１２ａを介して土砂１６を吸引する搬送ポンプ４２とを備えている。搬送ポンプ４２は吸込ケーシング１３ｅの吸込口１２ａに直に連接して設けられている。なお、土塊破砕部４１は左右一対の破砕機構部４５、４６から構成されている。以下、これらについて詳しく説明する。
【００２４】
図７に示すように、吸込ケーシング１３ｅは、軸方向の中央上部に取付けられた搬送ポンプ４２のポンプ部４７の吸込口４７ａと一致した吸込口１２ａが形成された断面形状が半円弧状の半割部２０ｅと、半割部２０ｅの両端に設けられた半円形状の端板２１ｂ、２２ｂとを備えている。図７及び図８に示すように、半割部２０ｅの両下端２３、２４及び端板２１ｂ、２２ｂの下端２５、２６によりほぼ矩形状の開口部２７ｃが形成され、開口部２７ｃは、水底の土砂１６のほぼ上面２８に設置されるようになっている。
【００２５】
端板２１ｂ、２２ｂの下端部の内側には、回転軸１４ｃの両端部を回転支持する軸受２９ａ、３０ａが設けられており、さらに回転軸１４ｃの軸受２９ａ側は、端板２１ｂを貫通し端板２１ｂの外側に取付けられた減速機付電動モータ１８ｂの出力軸に連結されている。
【００２６】
破砕機構部４５、４６においては、回転軸１４ｃの回転による螺旋羽根４３、４４の回転に伴って、土砂１６は吸込ケーシング１３ｅの中央部、即ち、吸込口１２ａ側に搬送されるように、回転軸１４ｃの軸方向に沿って螺旋羽根４３、４４が対向する（左右の）捩じり方向に、しかも３．５周（ピッチ）ほど取付けられている。図８に示すように、螺旋羽根４４（４３も同じ）の外側部にはそれぞれ、実質的に放射状に、なた状の複数の破砕刃１５ｂが、側面視して周方向に１２０°の等ピッチで合計１１枚取付けられている。なお、図７、図８に示すように、破砕刃１５ｂも破砕刃１５と同様、側面視して弓状に形成され、かつ回転軸１４ｃ方向へも中央方向へ曲げて形成されている。しかも回転方向側の凹部分には刃部（エッジ部）３２ａが形成されている。減速機付電動モータ１８ｂを駆動して破砕機構部４５、４６を回転することによって、破砕刃１５ｂにより土砂１６を掻き砕きながら水と混合させ流動性を向上させると共に、螺旋羽根４３、４４により土砂１６を吸込口１２ａに向けて搬送することができる。
【００２７】
従って、水底堆積物搬送装置４０においては、減速機付電動モータ１８ｂを駆動して破砕機構部４５、４６を回転すると共に、吸込ケーシング１３ｅに直に設けた搬送ポンプ４２を駆動することによって、破砕刃１５ｂにより土砂１６を掻き砕きながら水と混合させ流動性を向上させると共に、螺旋羽根４３、４４により土砂１６を吸込口１２ａ側に搬送し、しかも、吸込口１２ａ付近に搬送された土砂１６は搬送ポンプ４２によって直接吸引することができる。
【００２８】
水底堆積物搬送装置４０においては、螺旋羽根４３、４４を備えているので、土砂１６を破砕刃１５ｂにより掻き砕き、攪拌した土砂１６を確実に吸込口１２ａ側に搬送することができ、これによって、水底堆積物搬送装置１０に比較して、搬送効率が向上する。さらに、水底堆積物搬送装置４０においては、搬送ポンプ４２を吸込ケーシング１３ｅに直に設けているので、水底堆積物搬送装置１０に比較して、吸引効果が増大し、たとえ土砂１６の濃度が濃い状態になっても吸込部で閉塞を起こすことなく円滑に堆積物を搬送することができる。また、刃部３２ａを備えた破砕刃１５ｂは、従来のスクリュー羽根に較べて水底堆積物をより効率的に破砕、攪乱し、均一に流動化することができるため、ポンプの運転条件を良好に保つことができるので、吐出能力が落ちることなく土砂１６等を効率的に吐出することができる。
【００２９】
図９に示す本発明の第２の実施の形態に係る水底堆積物搬送装置４０の変形例の水底堆積物搬送装置４０ａについて説明する。
水底堆積物搬送装置４０ａが水底堆積物搬送装置４０と異なる点は、主に、吸込ケーシング１３ｆにポンプ吸込配管１９ａを介して搬送ポンプ（図示せず）を設けた点、また、回転軸１４ｄを駆動する減速機付電動モータ１８ｃを吸込ケーシング１３ｆの片側端部の水面３６ａより上方に設けた点である。
【００３０】
図９に示すように、水底堆積物搬送装置４０ａにおいては、吸込ケーシング１３ｆ内に水平配置された回転軸１４ｄと、土砂１６を横送りする、回転軸１４ｄの両側に対向して配置された螺旋羽根４３ａ、４４ａ及び螺旋羽根４３ａ、４４ａの周囲に設けられた複数の破砕刃１５ｂを備えた破砕機構部４５ａ、４６ａとを有しており、回転軸１４ｄの螺旋羽根４３ａ側端部は、内部に傘歯車５２、５３を備えた駆動方向変換手段５４の出力軸に連結されている。駆動方向変換手段５４の入力軸５５は吸込ケーシング１３ｆの上端に設けられたパイプ状の水封カバー７５内に配置された回転駆動軸７６を介して、減速機付電動モータ１８ｃの出力軸に連結されている。減速機付電動モータ１８ｃは水封カバー７５の上端に設けられた円板状の取付板７７にフランジ接続されている。なお、水封カバー７５及び取付板７７により取付ブラケットが構成されている。
これによって、減速機付電動モータ１８ｃを水面３６ａ上方に配置することができるので、電動モータを水密モータとする必要がないため、より安価にでき、また電動モータの保守、点検が容易にできる。なお、符号７６ａは入力軸５５の軸受を、２１ｃ、２２ｃは端板を、符号２７ｄは開口部を示す。
【００３１】
図１２及び図１３に、本発明の水底堆積物搬送装置を適用した使用例を示す。
図１２は水底堆積物搬送装置１０ａを適用したもので、搬送ポンプ３３の上部の一側に取付ブラケット７８を介して操作用の油圧シリンダー７９を設けており、油圧シリンダー７９は、水中を移動可能なキャタピラー式の走行手段８０に取付けられている。また、搬送ポンプ３３の支持機枠４８ａは、走行手段８０の前部に設けられた取付ブラケット８０ａとピンで連結されている。図１２中の符号８１は走行手段８０に設けられた固定ブラケット８２に固定され、ポンプ部３３ａに連通するフレホースを表している。
【００３２】
図１３は水底堆積物搬送装置１０を適用したもので、搬送ポンプ８３は地上に配置されたポンプ車８４上に設置されており、ポンプ車８４と吸込ケーシング１３とがピンを介して操作アーム８５、８６で連結されている。操作アーム８６の先端部は支持機枠４８とピンにより連結されている。ポンプ車８４と操作アーム８５とは油圧シリンダー８７を介して連結され、操作アーム８５と操作アーム８６とは油圧シリンダー８８を介して連結され、さらに操作アーム８６と吸込ケーシング１３とは油圧シリンダー８９を介して連結されている。図１３中の符号９０はポンプ吸込配管１９に連通するフレホースを表している。従って、搬送ポンプ８３を運転しながら地上で油圧シリンダー８７、８８、８９を操作して、順次、水中の底に堆積している土砂１６をポンプ吸込配管１９及びフレホース９０を介して搬送ポンプ８３により吐出することができる。なお、走行手段８０及びポンプ車８４共、破砕刃による土砂１６からの反力に対抗できるだけの重量を有する必要がある。
【００３３】
前記実施の形態の水底堆積物搬送装置１０、１０ａ〜１０ｄにおいて、破砕刃１５、１５ａは回転軸１４、１４ａ、１４ｂの軸方向の列毎に同じ角度で取付けたが、これに限定されず、図１０に一例として破砕刃１５の場合で示すように、破砕刃１５を軸方向の列毎に異なる角度で取付けることもできる。例えば、奇数列は実線で、一方、偶数列は２点鎖線で示すように配置する。
また、図２及び図８に示すように、吸込ケーシング１３、１３ｅの半割部２０、２０ｅの下端２３、２４は回転軸１４、１４ｃの中心位置と同じレベルとしたが、これに限定されず、既述した図６（Ｃ）や図１１の水底堆積物搬送装置４０ａの場合において示すように、半割部２０ｆは、断面形状を半円以上の円弧で形成することもできる。これによって、吸込ケーシング１３ｆの半割部２０ｆの下端２３ｂ、２４ｂが土砂１６内に埋まり、吸込ケーシング１３ｆ内の土砂１６を吸込ケーシング１３ｆ外に逃がすことなく、確実に掻き砕き、攪乱することができる。
【００３４】
減速機付電動モータ１８、１８ｂを吸込ケーシング１３、１３ａ〜１３ｃ、１３ｅの片側側部（端板２１、２１ｂ）に設けたが、これに限定されず、吸込ケーシング１３、１３ａ、１３ｃ、１３ｅの片側上部（半割部２０、２０ａ、２０ｃ、２０ｅ）に設けることもできる。
吸込ケーシング１３、１３ａ〜１３ｆの開口１１、１１ａ〜１１ｄは下方を向いて配置したが、これに限定されず、必要に応じて、斜め下方を向いて配置することもできる。これによって、斜めに堆積した土砂１６の処理に適している。
【００３５】
水底堆積物搬送装置１０ｄにおいて、回転軸１４ｂの外周に破砕刃１５ａを直接取付けたが、これに限定されず、状況に応じて、螺旋羽根を介して破砕刃を設けることもできる。
モータとして減速機付電動モータ１８、１８ａ〜１８ｃを使用したが、これに限定されず、必要に応じて、回転数の変更が容易な油圧モータ又はインバータで制御された電動モータを用いても構わない。
【００３６】
土塊破砕部１７、１７ａ、１７ｂ、４１、４１ａにおいては、破砕刃１５、１５ａ、１５ｂを側面視して３個円周方向に等ピッチで放射状に設けたが、これに限定されず、破砕刃１５、１５ａ、１５ｂを等ピッチではなく、しかも放射状でなく自由（ランダム）に、しかも、２個又は４個以上配置することもできる。また、土塊破砕部１７、１７ａ、１７ｂにおいては、軸方向に１０列設けたが、これに限定されず、２列〜９列又は１１列以上設けることもでき、また、複数個を軸方向に螺旋状に設けることもできる。
破砕刃１５、１５ａ、１５ｂは、回転時の前側部分を凹状に形成したが、これに限定されず、回転時の前側部分を凸状に形成することもできる。
【００３７】
【発明の効果】
請求項１及びこれに従属する請求項２〜７記載の水底堆積物搬送装置においては、回転軸に取付けられた複数の破砕刃からなる土塊破砕部により水底堆積物が掻き砕かれて吸込ケーシング内で均一に流動化されると共に、流動化された水底堆積物を吸込ケーシングの吸込口を介して搬送ポンプにより吸引することができるので、土砂又は土砂等の水底堆積物が固い場合でも、搬送能力を高く維持でき、これによって作業性が向上する。
請求項１記載の水底堆積物搬送装置においては、搬送ポンプの吸引により、堆積物の上方の水が吸込ケーシング内に供給されるため、土塊破砕部によって破砕された水底堆積物を、より多くの水で混合希釈してポンプ吸引部の濃度を下げることができるので、ポンプを詰まらせることなく円滑に水底堆積物を搬送することができ、この結果、搬送作業性が向上する。
【００３８】
また、請求項１記載の水底堆積物搬送装置においては、水底にある水底堆積物の固形分を多く吸引することができるので、濃度の高い水底堆積物の搬送に適している。
特に、請求項２記載の水底堆積物搬送装置においては、吸込ケーシング内で流動化された水底堆積物の濃度が濃い状態となっても吸い上げることができるので、搬送能力を高く維持できる。
【００３９】
請求項３記載の水底堆積物搬送装置においては、破砕刃の数は同じであるにもかかわらず、同時に土塊に接触する破砕刃の数を少なくすることができ、従って動力を節減することができるので、作業コストが安価になる。
請求項４記載の水底堆積物搬送装置においては、吸込ケーシング内で水底堆積物をより効果的に攪拌し、搬送することができるので、搬送能力を高く維持できる。
【００４０】
請求項５記載の水底堆積物搬送装置においては、モータの水密性が不要となるため、より安価にでき、またモータの保守、点検が容易にできるので、経済的に有利である。
請求項６記載の水底堆積物搬送装置においては、モータが回転軸外に取付けられることによって発生するモータ部の水底堆積物吸引不可能範囲（死域）を完全になくすことができ、これにより、水底堆積物を除去する作業場所が水槽等である場合には、壁際まで完全に水底堆積物を除去することができるため、より作業性を向上することができる。
請求項７記載の水底堆積物搬送装置においては、水底堆積物の条件に合わせて土塊破砕部の回転数を適宜調整できるので、汎用性が高い。
【図面の簡単な説明】
【図１】本発明の第１の実施の形態に係る水底堆積物搬送装置の正断面図である。
【図２】図１の矢視Ａ−Ａ断面図である。
【図３】本発明の第１の実施の形態に係る水底堆積物搬送装置の第１変形例の正断面図である。
【図４】同水底堆積物搬送装置の第２変形例の正断面図である。
【図５】同水底堆積物搬送装置の第３変形例の正断面図である。
【図６】（Ａ）、（Ｂ）、（Ｃ）はそれぞれ、同水底堆積物搬送装置の第４変形例の正断面図、回転軸及び減速機付電動モータの断面図、同水底堆積物搬送装置の第４変形例の側断面図である。
【図７】本発明の第２の実施の形態に係る水底堆積物搬送装置の正断面図である。
【図８】図７の矢視Ｂ−Ｂ断面図である。
【図９】本発明の第２の実施の形態に係る水底堆積物搬送装置の変形例の正断面図である。
【図１０】変形例の土塊破砕部の断面図である。
【図１１】変形例の吸込ケーシングの断面図である。
【図１２】水底堆積物搬送装置を適用した使用例を示す説明図である。
【図１３】水底堆積物搬送装置を適用した使用例を示す説明図である。
【符号の説明】
１０、１０ａ〜１０ｄ：水底堆積物搬送装置、１１、１１ａ〜１１ｄ：開口、１２、１２ａ：吸込口、１３、１３ａ〜１３ｆ：吸込ケーシング、１４、１４ａ〜１４ｄ：回転軸、１５、１５ａ、１５ｂ：破砕刃、１６：土砂（水底堆積物）、１７、１７ａ、１７ｂ：土塊破砕部、１８、１８ａ〜１８ｃ：減速機付電動モータ（モータ）、１９、１９ａ：ポンプ吸込配管、２０、２０ａ〜２０ｆ：半割部、２１、２１ａ〜２１ｃ：端板、２２、２２ａ〜２２ｃ：端板、２３〜２６、２３ａ〜２６ａ、２３ｂ、２４ｂ：下端、２７、２７ａ〜２７ｄ：開口部、２８：上面、２９、２９ａ：軸受、３０、３０ａ：軸受、３２、３２ａ：刃部、３３：搬送ポンプ、３３ａ：ポンプ部、３４：上水吸水管、３４ａ：吸込口、３５：上水吸水管、３６：水、３６ａ：水面、３７、３８：固定軸、３９：円筒部、４０、４０ａ：水底堆積物搬送装置、４１、４１ａ：土塊破砕部、４２：搬送ポンプ、４３、４３ａ：螺旋羽根、４４、４４ａ：螺旋羽根、４５、４５ａ：破砕機構部、４６、４６ａ：破砕機構部、４７：ポンプ部、４７ａ：吸込口、４８、４８ａ：支持機枠、５２、５３：傘歯車、５４：駆動方向変換手段、５５：入力軸、５７、５８：端板部、５９、６０：軸受、６１：取付部、６２：回転子軸、６３、６４：軸受、６５：回転子、６６：固定子、６７：小ギア、６８：大ギア、６９：ギア軸、７０、７１：軸受、７２：小ギア、７３：大ギア、７４：配線、７５：水封カバー、７６：回転駆動軸、７６ａ：軸受、７７：取付板、７８：取付ブラケット、７９：油圧シリンダー、８０：走行手段、８０ａ：取付ブラケット、８１：フレホース、８２：固定ブラケット、８３：搬送ポンプ、８４：ポンプ車、８５、８６：操作アーム、８７：油圧シリンダー、８８：油圧シリンダー、８９：油圧シリンダー、９０：フレホース
【図１】
0004521139.tif 000002
【図２】
0004521139.tif 000003
【図３】
0004521139.tif 000004
【図４】
0004521139.tif 000005
【図５】
0004521139.tif 000006
【図６】
0004521139.tif 000007
【図７】
0004521139.tif 000008
【図８】
0004521139.tif 000009
【図９】
0004521139.tif 000010
【図１０】
0004521139.tif 000011
【図１１】
0004521139.tif 000012
【図１２】
0004521139.tif 000013
【図１３】
0004521139.tif 000014